(57)【要約】【課題】内容物を吐出させる際の押下ヘッドの押下力を低減することができる吐出容器用補助具を提供する。【解決手段】上方付勢状態でピストン部４の上下動に連係する押下ヘッド５１を押し下げることで、上下方向に延設されたシリンダ部３内の内容物が、ノズル部８の吐出口８ａから吐出され、押下ヘッド５１の押し下げを解除したときに、容器本体１１内の内容物が容器本体１１内に連通するシリンダ部３内に供給される構成とされた吐出容器１に装着される吐出容器用補助具２０Ａであって、押下ヘッド５１を覆う外カバー２１と、一端部２３ａ側が吐出容器１に連結され、かつ他端部２３ｂ側が外カバー２１に連結された帯体２３と、を備え、帯体２３は、押下ヘッド５１を跨いで配設され、帯体２３のうち、一端部２３ａと他端部２３ｂとの間の中間部２３ｃは、押下ヘッド５１を押し下げ可能に、押下ヘッド５１に係合する。【選択図】図１
2018070237.tif 000002
【特許請求の範囲】
【請求項１】
内容物が収容される容器本体、
内側が前記容器本体内に連通するとともに、上下方向に延設されたシリンダ部、
前記シリンダ部内に上下摺動可能に配設されたピストン部、
上方付勢状態で下方移動可能に配設されるとともに、前記ピストン部の上下動に連係する押下ヘッド、
及び、前記シリンダ部内の内容物を吐出する吐出口が形成されたノズル部を備え、
前記押下ヘッドを押し下げることで、前記シリンダ部内の内容物が吐出口から吐出され、前記押下ヘッドの押し下げを解除したときに、前記容器本体内の内容物が前記シリンダ部内に供給される構成とされた吐出容器に装着される吐出容器用補助具であって、
前記押下ヘッドを覆う外カバーと、
一端部側が前記吐出容器に連結され、かつ他端部側が外カバーに連結された帯体と、を備え、
前記帯体は、前記押下ヘッドを跨いで配設され、前記帯体のうち、前記一端部と前記他端部との間の中間部は、前記押下ヘッドを押し下げ可能に、前記押下ヘッドに係合することを特徴とする吐出容器用補助具。
【請求項２】
前記押下ヘッドに装着される内カバーを備え、
前記内カバーは、内側に前記押下ヘッドが挿入される本体筒と、
前記本体筒から径方向の外側に向けて突出し、周方向で互いに対向する一対の突板と、を有し、
前記帯体が、一対の前記突板により、幅方向に支持されることを特徴とする請求項１に記載の吐出容器用補助具。
【請求項３】
前記内カバーは、
一対の前記突板のうちの少なくとも一方と連結されるとともに他方に向けて延び、かつ前記本体筒と径方向で対向する連結体を備えることを特徴とする請求項２に記載の吐出容器用補助具。
【発明の詳細な説明】
【技術分野】
【０００１】
本発明は、吐出容器用補助具に関する。
【背景技術】
【０００２】
従来、例えば下記特許文献１に示されるように、内容物が収容される容器本体、内側が容器本体内に連通するとともに、上下方向に延設されたシリンダ部、シリンダ部内に上下摺動可能に配設されたピストン部、上方付勢状態で下方移動可能に配設されるとともに、ピストン部の上下動に連係する押下ヘッド、及びシリンダ部内の内容物を吐出する吐出口が形成されたノズル部を備え、押下ヘッドを押し下げることで、シリンダ部内の内容物が吐出口から吐出され、押下ヘッドの押し下げを解除したときに、容器本体内の内容物がシリンダ部内に供給される構成とされた吐出容器が知られている。
【先行技術文献】
【特許文献】
【０００３】
【特許文献１】特開２０１５−１２７２４２号公報
【発明の概要】
【発明が解決しようとする課題】
【０００４】
しかしながら、前記従来の吐出容器では、内容物を吐出させる際の押下ヘッドの押下力を低減することに改善の余地があった。
【０００５】
そこで本発明は、前述した事情に鑑みてなされたものであり、内容物を吐出させる際の押下ヘッドの押下力を低減することができる吐出容器用補助具を提供することを目的とする。
【課題を解決するための手段】
【０００６】
前記課題を解決するために、本発明に係る吐出容器用補助具は、内容物が収容される容器本体、内側が前記容器本体内に連通するとともに、上下方向に延設されたシリンダ部、前記シリンダ部内に上下摺動可能に配設されたピストン部、上方付勢状態で下方移動可能に配設されるとともに、前記ピストン部の上下動に連係する押下ヘッド、及び、前記シリンダ部内の内容物を吐出する吐出口が形成されたノズル部を備え、前記押下ヘッドを押し下げることで、前記シリンダ部内の内容物が吐出口から吐出され、前記押下ヘッドの押し下げを解除したときに、前記容器本体内の内容物が前記シリンダ部内に供給される構成とされた吐出容器に装着される吐出容器用補助具であって、前記押下ヘッドを覆う外カバーと、一端部側が前記吐出容器に連結され、かつ他端部側が外カバーに連結された帯体と、を備え、前記帯体は、前記押下ヘッドを跨いで配設され、前記帯体のうち、前記一端部と前記他端部との間の中間部は、前記押下ヘッドを押し下げ可能に、前記押下ヘッドに係合することを特徴とする。
【０００７】
この発明によれば、帯体において、吐出容器に連結された一端部側と、外カバーに連結された他端部側と、の間の中間部が、押下ヘッドを押し下げ可能となるように押下ヘッドに係合しているので、外カバーを押下すると、帯体における前記一端部側が吐出容器に固定された状態で、前記他端部側が外カバーとともに下降移動するのに伴い、前記中間部が帯体の長手方向に沿って押下ヘッド上を移動する。このため、押下ヘッドが、帯体の前記中間部により下降移動させられ、ピストン部がシリンダ部内を下降移動する。
【０００８】
したがって、帯体のうち、前記一端部側が支点として、前記他端部側が力点として、前記中間部が作用点として、それぞれ機能することとなる。また、この過程において、帯体における前記中間部のうち、押下ヘッドを押下する作用点部分と、力点である前記他端部側と、の距離が漸次長くなる一方、帯体における前記中間部の作用点部分と、支点である前記一端部側と、の距離が漸次短くなる。
【０００９】
これにより、内容物を吐出する過程において、外カバーに加えた押下力を、梃子の原理により増幅させて前記中間部を介して押下ヘッドに及ぼすことができ、内容物を吐出する際の押下ヘッドの押下力を漸次低減することができる。これにより、優れた操作性を具備させることができる。
【００１０】
また、前記押下ヘッドに装着される内カバーを備え、前記内カバーは、内側に前記押下ヘッドが挿入される本体筒と、前記本体筒から径方向の外側に向けて突出し、周方向で互いに対向する一対の突板と、を有し、前記帯体が、一対の前記突板により、幅方向に支持されてもよい。
この場合には、本体筒と、本体筒から径方向の外側に向けて突出し、周方向で互いに対向する一対の突板と、を有する内カバーを備えているので、帯体が内カバーの一対の突板により幅方向に支持されることとなり、外カバーの押下に伴い、帯体が押下ヘッド上を移動する際に、帯体の幅方向の移動が規制され、帯体の長手方向の移動が安定する。
【００１１】
また、前記内カバーは、一対の前記突板のうちの少なくとも一方と連結されるとともに他方に向けて延び、かつ前記本体筒と径方向で対向する連結体を備えてもよい。
この場合には、一対の突板、本体筒、及び連結体によって囲まれた空間内に帯体を通すことで、簡易な構成で、帯体を幅方向のみならず、径方向にも支持することができる。
【００１２】
また、仮に連結体が一方の突板にのみ連結され、連結体と他方の突板との間に周方向の隙間が設けられている場合には、この隙間を通して、帯体の前記中間部を前記空間内に配置することができる。これにより、帯体の一端部側の形状や大きさを、前記空間の形状や大きさを考慮して設計する必要が無く、例えば帯体の一端部側を大きく形成した場合には、吐出容器のうち、一端部側が連結される部分として、例えばノズル部、装着キャップ、又は容器本体等の任意の部分を選択することができる。
【発明の効果】
【００１３】
本発明によれば、内容物を吐出させる際の押下ヘッドの押下力を低減することができる。
【図面の簡単な説明】
【００１４】
【図１】本発明の第１実施形態に係る吐出容器用補助具を吐出容器に取付けた状態における縦断面図である。
【図２】図１に示す吐出容器用補助具と吐出容器の要部とを、ノズル部側から見た一部断面正面図である。
【図３】図１に示す吐出容器用補助具の横断面図である。
【図４】図１に示す吐出容器及び吐出容器用補助具において、押下ヘッドを下降させた状態を示す図である。
【図５】本発明の第２実施形態に係る吐出容器用補助具の横断面図である。
【図６】図５に示す吐出容器用補助具の一部断面側面図である。
【図７】本発明の第３実施形態に係る吐出容器用補助具の横断面図である。
【図８】図７に示す吐出容器用補助具の一部断面側面図である。
【図９】本発明の第４実施形態に係る吐出容器用補助具における（ａ）縦断面図、（ｂ）ノズル部側の反対側から見た背面図、及び（ｃ）帯体の上面図である。
【発明を実施するための形態】
【００１５】
（第１実施形態）
以下、図面を参照して、本発明の第１実施形態に係る吐出容器用補助具２０Ａについて説明する。なお、以下の説明に用いる各図面では、各部材を認識可能な大きさとするために縮尺を適宜変更している。
【００１６】
まず、吐出容器用補助具２０Ａを取付ける吐出容器１について説明する。
図１に示すように、吐出容器１は、内容物が収容される容器本体１１、容器本体１１の口部１１ａに装着された装着キャップ２、内側が容器本体１１内に連通するシリンダ部３、シリンダ部３の内周面に沿ってシリンダ軸Ｏ方向に摺動可能なピストン部４、ピストン部４の移動に連係する押下ヘッド５１を有するピストン操作部５、及びシリンダ部３内の内容物を吐出する吐出口８ａが形成されたノズル部８を備えている。
【００１７】
ここで、容器本体１１は、有底筒状に形成され、シリンダ軸Ｏと同軸に配設されている。
以下、シリンダ軸Ｏに沿って、押下ヘッド５１側を上側、容器本体１１側を下側という。また、シリンダ軸Ｏに沿う方向を上下方向といい、上面視において、シリンダ軸Ｏに直交する方向をシリンダ径方向といい、シリンダ軸Ｏ回りに周回する方向をシリンダ周方向という。
【００１８】
容器本体１１は、例えばガラス瓶、合成樹脂製ボトル等であり、内部に図示しない内容物が収容される。口部１１ａの外周面には、雄ねじ１８が形成されている。口部１１ａの内側には、中栓１３が装着されている。
【００１９】
中栓１３は、円筒形状に形成され、シリンダ軸Ｏと同軸に配設されている。
中栓１３の上下方向の中間部における外周面には、シリンダ径方向の外側に向けて突出するフランジ部１４が形成されている。フランジ部１４は、シリンダ周方向の全周にわたって延びる円環状の板部である。フランジ部１４は、中栓１３を支持するための支持部であり、口部１１ａの上端開口縁上に載置されている。
【００２０】
装着キャップ２は、円筒形状に形成され、シリンダ軸Ｏと同軸に配設されている。装着キャップ２の内周面には、口部１１ａの雄ねじ１８に螺合された雌ねじ１９が形成されている。
【００２１】
シリンダ部３は、上下方向に延設された有底筒状に形成され、容器本体１１の上方に配置されている。
シリンダ部３には、装着キャップ２に接続され、口部１１ａに装着された装着筒部３０が設けられている。装着筒部３０は、シリンダ部３の底壁部３１から下方に向けて延在し、シリンダ軸Ｏと同軸に配設されている。装着筒部３０の下端部には、装着キャップ２の上端部内にアンダーカット嵌合され、前述した中栓１３におけるフランジ部１４上に載置された支持フランジ部３０ａが形成されている。
【００２２】
シリンダ部３の上部における外周面には、被係止部３４がシリンダ径方向の外側に向けて突設されている。なお、被係止部３４は、シリンダ部３の外周面において、シリンダ軸Ｏをシリンダ径方向に挟んで互いに反対となる位置に各別に形成されている。但し、被係止部３４の数は２つに限定されるものではない。
【００２３】
シリンダ部３には、容器本体１１内の内容物をシリンダ部３内の液室３２に吸込む吸込み部６が配設されている。吸込み部６の内側は、シリンダ部３内の液室３２に連通している。吸込み部６は、シリンダ部３の底壁部３１の下面から下方に向かって延びているとともに液室３２に連通した接続筒部６０と、接続筒部６０に接続されたディップチューブ６１と、を備えている。
【００２４】
接続筒部６０は、シリンダ部３における装着筒部３０の内側に配設されているとともに、シリンダ軸Ｏと同軸に配設されている。接続筒部６０のうち、上端部は他の部分よりも拡径されている。すなわち、接続筒部６０は、液室３２に向けて開口された大径の上筒部６２と、上筒部６２の下方に段差を介して連設された小径の下筒部６３と、を備えている。
下筒部６３の上端部の内周面には、全周にわたって延びるとともに、シリンダ径方向の内側に向けて突出した円環状の弁座部６４が形成されている。また、接続筒部６０は、シリンダ部３と一体に形成されている。下筒部６３の下端部は、中栓１３内に嵌合されている。
【００２５】
ディップチューブ６１は、容器本体１１の内側に配置されて容器本体１１内の内容物を吸い上げるためのチューブであり、例えば可撓性を有するフレキシブルチューブからなる。なお、ディップチューブ６１は、単なる円筒状のパイプであってもよい。ディップチューブ６１の下端開口は、容器本体１１内に開放されており、ディップチューブ６１の上端開口は、接続筒部６０の内側に嵌合されて上筒部６２内を通して液室３２に連通している。
【００２６】
吸込み部６の内側に、ピストン部４の動作に伴って容器本体１１内と液室３２との連通、及びその遮断を切換える吸込み弁７が配設されている。吸込み弁７は、吸込み部６の上筒部６２内に嵌合された周壁部７０と、周壁部７０の内側に配設されて弁座部６４の内側を開閉する板状の弁体部７１と、弁体部７１の外周面と、周壁部７０の内周面と、を連結する弾性変形可能な連結片７２と、を備えている。
周壁部７０は、吸込み部６の上筒部６２内にアンダーカット嵌合されている。弁体部７１は、弁座部６４の上面に密に当接している。連結片７２は、例えばシリンダ周方向に間欠的に複数配設され、弁体部７１の外周面と周壁部７０の内周面とを繋いでいる。
【００２７】
なお、吸込み弁７は、１つの連結片７２で弁体部７１を支持した一点弁でもよい。さらに、本実施形態では、弁座部６４に着座する弁体部７１を利用することで吸込み部６の内側を開閉する吸込み弁７を例に挙げたが、この場合に限定されるものではなく、例えばボール弁を吸込み弁として採用しても構わない。
【００２８】
ノズル部８は、シリンダ部３内の液室３２に貯留された内容物を外部に吐出させるための筒状部材である。ノズル部８が、シリンダ部３の下端部に連結されている。なお、図１及び図４にＬで示す一点鎖線は、ノズル部８の中心軸線を示しており、以下、ノズル軸Ｌという。また、ノズル軸Ｌに沿った方向をノズル軸方向といい、ノズル軸方向から見てノズル軸Ｌに直交する方向をノズル径方向といい、ノズル軸Ｌ回りの方向をノズル周方向という。さらに、ノズル軸方向のうち、吐出口８ａ側を前側といい、シリンダ部３側を後側という。
【００２９】
ノズル部８は、後側に位置する根元筒部８２と、前側に位置し、根元筒部８２に外嵌されたノズル筒部８１と、を備えている。
根元筒部８２は、シリンダ部３と一体に形成されている。根元筒部８２の後端部は、端壁部８２ａによって閉塞されている。根元筒部８２の後端部の上部は、シリンダ部３の内部に向けて開口している。
また、根元筒部８２の内側には、ノズル軸Ｌに対して直交する隔壁部８３が配設されている。
【００３０】
隔壁部８３には、ノズル軸方向に貫通する挿通孔８３ａが形成されている。挿通孔８３ａは、隔壁部８３の中央部分にノズル軸Ｌと同軸に配設されている。挿通孔８３ａは、前側に向かうに従い漸次拡径するテーパー状に形成されている。
また、隔壁部８３には、ノズル軸方向に貫通する複数の流通孔８３ｂが形成されている。流通孔８３ｂは、内容物が流通する流路であり、挿通孔８３ａの周囲に間欠的に形成されている。
【００３１】
ノズル筒部８１は、内容物を吐出するための筒部材であり、内容物を吐出する吐出口８ａを有している。ノズル筒部８１は、根元筒部８２をノズル径方向に囲繞する外装筒部８１ａと、外装筒部８１ａの前端部からノズル軸方向に延びる延出筒部８１ｂと、延出筒部８１ｂの前端部から下方に向けて延び、下端開口が吐出口８ａとされた屈曲筒部８１ｄと、を備えている。延出筒部８１ｂ及び屈曲筒部８１ｄそれぞれの外径及び内径は、互いに同等となっている。
【００３２】
ノズル部８の内側に、吐出弁９が配設されている。吐出弁９は、ノズル部８内からシリンダ部３の液室３２への内容物及び空気の流入を止める逆止弁であり、ピストン部４の下降移動に連動して開けられる。
吐出弁９は、ノズル部８の内側に取付けられる弁基部９０と、弾性変形することにより液室３２と吐出口８ａとの連通及びその遮断を切り替える弁部９１と、を備えている。
弁部９１は、弁基部９０から前側に向けて延びる筒状に形成されている。
【００３３】
弁基部９０は、隔壁部８３の前側に配設され、挿通孔８３ａより大径に形成された基部本体９２と、基部本体９２から後側に向けて突出し、挿通孔８３ａに挿通された挿通部９３と、を備えている。挿通部９３は筒状に形成され、ノズル軸Ｌと同軸に配設されている。
挿通部９３のうち、隔壁部８３より後側に位置する後端部には、ノズル径方向の外側に向けて突出する係止部９４が形成されている。挿通部９３は、挿通孔８３ａに前後動自在に挿通される。吐出弁９が前進端位置に位置したときに、係止部９４が隔壁部８３の後面に当接し、吐出弁９が後退端位置に位置したときに、基部本体９２が隔壁部８３の前面に当接する。
【００３４】
係止部９４は、後側に向かうに従い漸次、縮径された円錐台形状に形成されている。係止部９４を、上述したテーパー状の挿通孔８３ａの前側から挿通孔８３ａ内に挿入させることで、吐出弁９が挿通孔８３ａに装着されている。基部本体９２は、柱状に形成され、ノズル軸Ｌと同軸に配設されている。
弁部９１は、前側に向かって漸次拡径されたテーパー状の筒形状をなし、弁基部９０の基部本体９２の外周縁から、前側に向かって突出している。弁部９１の前端部は、根元筒部８２の内周面に全周にわたって密に当接している。
【００３５】
ピストン部４は、シリンダ部３内を上下方向に摺動可能に配設され、液室３２を画成している。
ピストン部４は、図１に示すように、シリンダ軸Ｏに直交する底壁部４０と、底壁部４０の外縁から上方に向けて延びる周壁部４１と、周壁部４１をシリンダ径方向の外側から囲繞し、かつシリンダ部３内に摺動自在に嵌合された筒状の摺接部４２と、を備えている。
【００３６】
底壁部４０は、液室３２に面する平面視円形の壁部であり、シリンダ部３の底壁部３１に対して上方に間隔をあけて配置されている。底壁部４０の外周部の上面には後述する連結部材５３の嵌合フランジ部５３ｂが当接しており、嵌合フランジ部５３ｂによって底壁部４０が上方から押さえられている。
【００３７】
周壁部４１は、円筒形状の筒部であり、シリンダ軸Ｏと同軸に配設されている。摺接部４２は、シリンダ軸Ｏと同軸に配設された略円筒形状の筒部であり、摺接部４２の上下方向の中間部は、周壁部４１の上端部に連結されている。摺接部４２の上端部は、上側に向かうに従い漸次拡径されたテーパー形状に形成されている。また、摺接部４２の下端部は、下側に向かうに従い漸次拡径されたテーパー形状に形成されている。そして、これら摺接部４２の上下端部は、それぞれシリンダ部３の内周面に全周にわたって密に摺動自在に当接している。
【００３８】
ピストン操作部５は、押下ヘッド５１と、シリンダ部３の上端部に被着された中蓋５０と、押下ヘッド５１を上方に付勢するコイルスプリング５２と、押下ヘッド５１とピストン部４とを連結する連結部材５３と、を備えている。
中蓋５０は、シリンダ軸Ｏに対して垂直に配設された円環状の天壁部５０ａと、天壁部５０ａの外縁から下方に向かって延びる外筒部５０ｂと、天壁部５０ａの内縁から下方に向かって延びる内筒部５０ｃと、内筒部５０ｃの下端部から径方向の内側に向けて延びる円環状の底壁部５０ｄと、底壁部５０ｄの内縁から立設されたガイド筒部５０ｅと、を備えている。
天壁部５０ａは、シリンダ部３の上方に配置され、シリンダ部３の上端開口縁上に載置されている。
【００３９】
外筒部５０ｂは、シリンダ部３の上端部の外周に周設された円筒形状の筒部であり、シリンダ軸Ｏと同軸に配設されている。外筒部５０ｂは、シリンダ部３の上端部にアンダーカット嵌合されている。内筒部５０ｃは、シリンダ部３の上端部の内側に配設された略円筒形状の筒部である。内筒部５０ｃは、シリンダ軸Ｏと同軸に配設されている。
【００４０】
底壁部５０ｄは、シリンダ軸Ｏに対して垂直に配設された円環状の板部である。底壁部５０ｄは、シリンダ軸Ｏと同軸に配設されている。
底壁部５０ｄの下面には、連結部材５３の嵌合フランジ部５３ｂに上方から当接するストッパ５０ｆが設けられている。ガイド筒部５０ｅは、内筒部５０ｃの内側に配設された円筒形状の直筒部であり、シリンダ軸Ｏと同軸に配設されている。
【００４１】
押下ヘッド５１は、上方付勢状態で下方移動可能に配設されるとともに、ピストン部４の上下動に連係する。押下ヘッド５１は、シリンダ軸Ｏに対して垂直に配設された円環状の天壁部５１ａと、天壁部５１ａの外縁から下方に向かって延びる周壁部５１ｂと、天壁部５１ａの内縁から下方に向かって延びる内筒部５１ｃと、天壁部５１ａの下面から下方に向かって延びる筒状のスプリング保持部５１ｄと、を備えている。天壁部５１ａは、中蓋５０の天壁部５０ａの上方に配設されている。
周壁部５１ｂは、中蓋５０の外筒部５０ｂ及びシリンダ部３の外周に周設された円筒形状をなし、シリンダ軸Ｏと同軸に配設されている。
【００４２】
内筒部５１ｃは、周壁部５１ｂの内側に配設された円筒形状の直筒部であり、シリンダ軸Ｏと同軸に配設されている。
また、内筒部５１ｃの外径は、中蓋５０のガイド筒部５０ｅよりも小径であり、内筒部５１ｃは、ガイド筒部５０ｅの内側に挿入されている。スプリング保持部５１ｄは、コイルスプリング５２の上端部を保持する円筒形状の筒部であり、周壁部５１ｂの上端部と内筒部５１ｃの上端部との間に配設されている。
【００４３】
コイルスプリング５２は、押し込まれたピストン部４を引き戻す付勢力を付与するための付勢部材であり、上記した中蓋５０と押下ヘッド５１との間に介装されている。
コイルスプリング５２は、押下ヘッド５１の周壁部５１ｂの内側に配設されており、コイルスプリング５２の下端は、上記した中蓋５０の底壁部５０ｄの上面に係止され、コイルスプリング５２の上端は、上記した押下ヘッド５１のスプリング保持部５１ｄの内側に嵌め込まれて押下ヘッド５１の天壁部５１ａの下面に係止されている。
【００４４】
連結部材５３は、押下ヘッド５１の内筒部５１ｃの内側に嵌合された嵌合部５３ａと、嵌合部５３ａの下端から径方向外側に突出した嵌合フランジ部５３ｂと、を備えている。嵌合部５３ａは、有頂筒状に形成され、シリンダ軸Ｏと同軸に配設されている。
嵌合部５３ａの上端部は、押下ヘッド５１の内筒部５１ｃにアンダーカット嵌合されており、嵌合部５３ａの上端面は、押下ヘッド５１の天壁部５１ａの上面と面一に形成されている。
【００４５】
嵌合フランジ部５３ｂは、周方向の全周に亘って形成された円環状の板部であり、ピストン部４の底壁部４０の上面に載置されているとともにピストン部４の周壁部４１の内側にアンダーカット嵌合されている。
また、嵌合フランジ部５３ｂは、中蓋５０の底壁部５０ｄの下面に設けられたストッパ５０ｆと当接可能とされており、これにより、コイルスプリング５２による押下ヘッド５１及びピストン部４の上昇が制限され、押下ヘッド５１及びピストン部４のストロークの上端位置が位置決めされている。
【００４６】
そして本実施形態では、吐出容器１に吐出容器用補助具２０Ａが装着されている。
吐出容器用補助具２０Ａは、押下ヘッド５１を覆う外カバー２１と、押下ヘッド５１に装着される内カバー２２と、一端部２３ａ側が吐出容器１に連結され、かつ他端部２３ｂ側が外カバー２１に連結された帯体２３と、を備えている。なお、吐出容器用補助具２０Ａは、内カバー２２を備えなくてもよい。
【００４７】
外カバー２１は、有頂筒状に形成され、シリンダ軸Ｏと同軸に配設されている。図２及び図３に示すように、外カバー２１の周壁部２１ａには、上面視で一方向に向けて膨出した膨出部２１ｂが形成されている。膨出部２１ｂは、シリンダ軸Ｏをシリンダ径方向に挟む位置に各別に配置されている。吐出容器用補助具２０Ａの上面視において、膨出部２１ｂは、前記一方向と直交する他方向に長い長方形状を呈する。
【００４８】
膨出部２１ｂを画成する壁面のうち、周方向の両端部に位置する周端壁には、上下方向に延び、周方向に貫く縦孔２１ｃが形成されている。
周壁部２１ａの内周面には、上下方向に沿って延びるとともに周方向で互いに隣り合う一対のガイド溝２１ｄが形成されている。一対のガイド溝２１ｄは、シリンダ軸Ｏをシリンダ径方向に挟む位置に各別に配置されている。図示の例では、一対のガイド溝２１ｄは、シリンダ軸Ｏを前記他方向に挟む位置に各別に配置されている。
【００４９】
図１に示すように、内カバー２２は、有頂筒状に形成された本体筒２２ａと、本体筒２２ａから径方向の外側に向けて突出し、周方向で互いに対向する一対の突板２２ｂと、一対の突板２２ｂと連結され、かつ本体筒２２ａと径方向で対向する連結体２２ｃと、を備えている。
一対の突板２２ｂは、シリンダ軸Ｏをシリンダ径方向に挟む位置に各別に配置されている。突板２２ｂの上端部は、本体筒２２ａの頂壁部より上方に位置している。一対の突板２２ｂにおける周方向で互いに対向する一対の内面と反対側の外面に、周方向に突出する嵌合突部２２ｆが各別に形成されている。嵌合突部２２ｆは、外カバー２１の縦孔２１ｃ内に上下動可能に収容されている。突板２２ｂは、本体筒２２ａから前記一方向に突出している。
【００５０】
図３に示すように、本体筒２２ａの頂壁部に、上面視で前記一方向に長い長方形状を呈する貫通孔２２ｄが形成されている。
貫通孔２２ｄの前記他方向の幅寸法、及び一対の突板２２ｂ同士の間の間隔が互いに同等になっている。貫通孔２２ｄの内面のうち、前記他方向で互いに対向し、かつ前記一方向に延びる一対の長内面２２ｅと、一対の突板２２ｂにおける各内面と、の周方向に沿う位置が互いに同等になっている。
【００５１】
本体筒２２ａの外周面には、径方向の外側に向けて突出する一対の突リブ２２ｇが形成されている。一対の突リブ２２ｇは、シリンダ軸Ｏをシリンダ径方向に挟む位置に各別に配置されている。突リブ２２ｇは、本体筒２２ａから前記他方向に突出している。
突リブ２２ｇは、外カバー２１を内カバー２２に取付けた際に、外カバー２１のガイド溝２１ｄ内に上下動可能に嵌合される。これにより、外カバー２１及び内カバー２２の、帯体２３の長手方向のがたつきを抑制することができる。
【００５２】
連結体２２ｃは、前記他方向に延びている。連結体２２ｃと本体筒２２ａとの間には、上面視で前記他方向に長い長方形状を呈する空間Ａが形成されている。空間Ａはシリンダ軸Ｏをシリンダ径方向に挟む位置に各別に配置されている。図１に示すように、シリンダ軸Ｏに沿う内カバー２２の縦断面視において、この空間Ａ内に帯体２３が挿通される。
本体筒２２ａの周壁部のうち、連結体２２ｃと径方向で対向する部分には、空間Ａが上面視で前記他方向に長い長方形状を呈するように、径方向の外側に向けて突出する張出部２２ｈが形成されている。
【００５３】
帯体２３は、一端部２３ａと他端部２３ｂとの間の中間部２３ｃが、押下ヘッド５１を押し下げ可能となるように押下ヘッド５１に係合するとともに、押下ヘッド５１を跨いで配設されている。図示の例では、帯体２３の中間部２３ｃは、押下ヘッド５１の天壁部５１ａに係合している。なお、帯体２３の中間部２３ｃは、押下ヘッド５１の周壁部５１ｂに係合してもよい。
帯体２３の他端部２３ｂは、外カバー２１の膨出部２１ｂの下端縁に連結されている。帯体２３は、他端部２３ｂ回りに上下に回動自在とされている。帯体２３は上面視で径方向のうちの前記一方向に延びている。
【００５４】
図３に示すように、帯体２３の一端部２３ａ側には、帯体２３を厚み方向に貫通する固定孔２４が形成されている。図示の例では、固定孔２４は帯体２３の長手方向に延びる長孔状に形成されている。なお、固定孔２４は長孔状以外の形状であってもよい。
また、帯体２３の幅は、内カバー２２における一対の長内面２２ｅ同士の間の距離よりも小さくなっている。
図２に示すように、帯体２３の固定孔２４内に、吐出容器１のノズル部８が挿入されることで、帯体２３の一端部２３ａ側が、吐出容器１に連結されている。
【００５５】
図１に示すように、帯体２３の中間部２３ｃは、内カバー２２の本体筒２２ａの頂壁部を介して、押下ヘッド５１の天壁部５１ａと当接している。帯体２３の中間部２３ｃのうち、他端部２３ｂ側に位置する部分が、内カバー２２の頂壁部と当接している。なお、内カバー２２の本体筒２２ａが頂壁部を有しておらず、帯体２３の中間部２３ｃが、押下ヘッド５１に直接、当接する構成であってもよい。
【００５６】
吐出容器用補助具２０Ａを吐出容器１に取付ける際には、内カバー２２の本体筒２２ａ内に押下ヘッド５１を挿入し、内カバー２２を押下ヘッド５１に装着するとともに、帯体２３を、２つの空間Ａ内に挿通する。具体的には、まず、帯体２３を、他端部２３ｂ回りに下方から上方に向けて回動させながら、帯体２３の一端部２３ａ側を、２つの空間Ａのうちの一方の空間Ａに下側から上側に向けて挿通した後に、押下ヘッド５１上を前記一方向に跨がせ、その後、他方の空間Ａ内に上側から下側に向けて挿通する。なお、前記他方の空間Ａは、ノズル部８と上下方向で対向している。
【００５７】
次に、帯体２３の固定孔２４に、ノズル部８をその前端部側から挿入することで帯体２３の一端部２３ａ側が吐出容器１に連結される。図示の例では、固定孔２４に外装筒部８１ａの後端部が挿入されている。
最後に、一対の突板２２ｂを、膨出部２１ｂ内に進入させ、かつ突リブ２２ｇをガイド溝２１ｄ内に進入させつつ、外カバー２１を内カバー２２の上方から覆い被せて取付ける。
なお、外カバー２１を内カバー２２に取付けた状態で、内カバー２２を押下ヘッド５１に装着するとともに、帯体２３を内カバー２２の空間Ａ内に挿通してもよい。
【００５８】
上記した吐出容器１を用いて内容物を吐出する際には、図１に示すように、液室３２に内容物が貯留された状態で、吐出容器用補助具２０Ａの外カバー２１を押下する。これに伴い、外カバー２１に連結された帯体２３の他端部２３ｂが、押下ヘッド５１のシリンダ径方向の外側を下方に向けて移動する。
【００５９】
このため、帯体２３の中間部２３ｃが順次、他端部２３ｂ側に向けて、内カバー２２の本体筒２２ａの頂壁部上を摺動しながら移動する。これにより、中間部２３ｃが、内カバー２２を介して、押下ヘッド５１をコイルスプリング５２の付勢力に抗して、下方に向けて押し下げる。
この際、コイルスプリング５２が上下方向に圧縮されるとともに、連結部材５３を介して押下ヘッド５１に連結されたピストン部４が、押下ヘッド５１とともにシリンダ部３に対して相対的に下降して、液室３２が減容される。
【００６０】
このような液室３２の減容化によって、液室３２の内圧が所定の正圧まで上昇することで、その内圧によって弁部９１が弾性的に縮径変形し、弁部９１の前端部と根元筒部８２の内周面との間に隙間が形成されて吐出弁９が開かれる。
これにより、液室３２内の内容物が根元筒部８２の後方に流入した後、隔壁部８３の流通孔８３ｂを通って根元筒部８２内を前側に向かって流通し、さらに、根元筒部８２内からノズル筒部８１内に流入し、ノズル筒部８１内を通って吐出口８ａから外部に吐出される。
【００６１】
ここで、前述のように、外カバー２１を押下する過程において、帯体２３の中間部２３ｃのうち、押下ヘッド５１を押下する作用点部分は、他端部２３ｂ側に位置する部分から、一端部２３ａ側に位置する部分に向けて順次移動してゆく。
この際、帯体２３のうちの一端部２３ａは、吐出容器１に固定されており、他端部２３ｂは、外カバー２１の膨出部２１ｂの下端縁に連結されている。このため、中間部２３ｃにより押し下げられる押下ヘッド５１は、吐出容器用補助具２０Ａと近似的に動滑車を構成している。すわなち、外カバー２１の下方に向けた変位量は、押下ヘッド５１の下方に向けた変位量と比べて、動滑車における仕事の原理により、約２倍となる。
【００６２】
そして、外カバー２１の押し下げ操作を止めてピストン部４の下降移動を停止させると、弁部９１が弾性により復元変形して拡径される。これにより、弁部９１の前端部がノズル本体８０の内周面に全周にわたって再び密に当接して吐出弁９が閉じられ、その結果、ノズル部８の吐出口８ａからの内容物の吐出が停止される。
なお、図４に示すように、押下ヘッド５１の天壁部５１ａの下面が、中蓋５０の天壁部５０ａの上面に当接或いは近接した際に、ピストン部４の底壁部４０の下面が、シリンダ部３の底壁部３１の上面に当接或いは近接する。
【００６３】
次に、外カバー２１の押し下げ操作を解除すると、コイルスプリング５２の付勢力によって押下ヘッド５１が押し上げられ、連結部材５３を介して押下ヘッド５１に連結されたピストン部４が、押下ヘッド５１とともにシリンダ部３に対して相対的に上昇してシリンダ部３の上端側に引き戻され、液室３２の容積が増大される。
【００６４】
なおこの際、押下ヘッド５１の上昇に伴い、押下ヘッド５１の天壁部５１ａが、内カバー２２の本体筒２２ａを介して帯体２３の中間部２３ｃを押し上げる。これにより、帯体２３の中間部２３ｃが順次、一端部２３ａ側に向けて、内カバー２２の本体筒２２ａの頂壁部上を摺動しながら移動する。その結果、帯体２３の他端部２３ｂが、外カバー２１とともに上昇移動する。
【００６５】
また、上述したように液室３２の内圧が負圧となると、その内圧によって吸込み弁７の弁体部７１が引っ張られ、吸込み弁７の連結片７２を弾性変形させながら弁体部７１が引き上げられ、弁体部７１が弁座部６４から離間して吸込み弁７が開かれる。
これにより、容器本体１１内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸込まれる。
【００６６】
そして、図１に示すように、連結部材５３の嵌合フランジ部５３ｂの上面が、中蓋５０の底壁部５０ｄの下面におけるストッパ５０ｆに当接或いは近接することで、押下ヘッド５１の上昇が停止してピストン部４の引戻し動作が停止する。これにより、吸込み弁７の連結片７２の弾性によって弁体部７１が引き下げられ、弁体部７１が弁座部６４に着座して密に当接して吸込み弁７が閉じられ、その結果、液室３２内への内容物の吸込みが停止される。
【００６７】
以上説明したように、本実施形態に係る吐出容器用補助具２０Ａによれば、帯体２３において、吐出容器１に連結された一端部２３ａ側と、外カバー２１に連結された他端部２３ｂ側と、の間の中間部２３ｃが、押下ヘッド５１を押し下げ可能となるように押下ヘッド５１に係合しているので、外カバー２１を押下すると、帯体２３における一端部２３ａ側が吐出容器１に固定された状態で、他端部２３ｂ側が、外カバー２１とともに下降移動するのに伴い、中間部２３ｃが帯体２３の長手方向に沿って押下ヘッド５１上を移動する。このため、押下ヘッド５１が、帯体２３の中間部２３ｃにより下降移動させられ、ピストン部４がシリンダ部３内を下降移動する。
【００６８】
したがって、帯体２３のうち、一端部２３ａ側が支点として、他端部２３ｂ側が力点として、中間部２３ｃが作用点として、それぞれ機能することとなる。また、この過程において、帯体２３における中間部２３ｃのうち、押下ヘッド５１を押下する作用点部分と、力点である他端部２３ｂ側と、の距離が漸次長くなる一方、帯体２３における中間部２３ｃの作用点部分と、支点である一端部２３ａ側との距離が漸次短くなる。
【００６９】
これにより、内容物を吐出する過程において、外カバー２１に加えた押下力を、梃子の原理により増幅させて中間部２３ｃを介して押下ヘッド５１に及ぼすことができ、内容物を吐出する際の押下ヘッド５１の押下力を漸次低減することができる。これにより、例えばシリンダ部３内の横断面積を大きくした構成等において、シリンダ部３内の横断面積に比例して、押下ヘッド５１の押下力が大きくなった場合であっても、優れた操作性を具備させることができる。
【００７０】
また、本体筒２２ａと、本体筒２２ａから径方向の外側に向けて突出し、周方向で互いに対向する一対の突板２２ｂと、を有する内カバー２２を備えているので、帯体２３が内カバー２２の支持部により幅方向に支持されることとなり、外カバー２１の押下に伴い、帯体２３が押下ヘッド５１上を移動する際に、帯体２３の幅方向の移動が規制され、帯体２３の長手方向の移動が安定する。
【００７１】
また、内カバー２２が、一対の突板２２ｂと連結され、かつ本体筒２２ａと径方向で対向する連結体２２ｃを備えているので、一対の突板２２ｂ、本体筒２２ａ、及び連結体２２ｃによって囲まれた空間Ａ内に帯体２３を通すことで、簡易な構成で帯体２３を幅方向のみならず、径方向にも支持することができる。
【００７２】
（第２実施形態）                                                              
次に、図５及び図６を参照し、本発明の第２実施形態に係る吐出容器用補助具２０Ｂについて説明する。なお、本実施形態においては、第１実施形態における構成要素と同一の部分については同一の符号を付し、その説明を省略し、異なる点についてのみ説明する。また、作用及び取付け手順についても、同一の部分については説明を省略する。
【００７３】
本実施形態に係る吐出容器用補助具２０Ｂでは、図５に示すように、連結体２２ｃは、一対の突板２２ｂのうち、一方のみに連結されている。連結体２２ｃと、一対の突板２２ｂのうちの他方と、の間には、周方向の隙間（以下、挿入隙間という）Ｓが設けられている。挿入隙間Ｓは、空間Ａと連通している。
挿入隙間Ｓは、前記一方向で互いに対向する位置に各別に配置されている。一対の挿入隙間Ｓの前記他方向に沿う位置は、互いに同等となっている。
上面視において、挿入隙間Ｓの周方向の大きさは、連結体２２ｃと本体筒２２ａとの間の空間Ａの径方向の大きさよりも小さくなっている。挿入隙間Ｓの周方向の大きさは、帯体２３Ｂの厚さより大きくなっている。
【００７４】
また、本実施形態では、帯体２３Ｂの一端部２３ａ側に、帯体２３Ｂの幅方向の端縁から幅方向の外側に向けて膨出した固定部２５が形成されている。固定部２５は帯体２３Ｂの平面視で円形状をなしている。固定部２５には、帯体２３Ｂの平面視で円形状をなす固定孔２４Ｂが形成されている。固定孔２４Ｂは固定部２５と同軸に配置されている。固定部２５の外径は、空間Ａの前記他方向の大きさより大きくなっている。
なお、固定孔２４Ｂは、固定部２５と同軸に配置されなくてもよいし、固定部２５及び固定孔２４Ｂの形状としては円形状に限られず、任意に変更可能である。
【００７５】
吐出容器用補助具２０Ａを吐出容器１に取付ける際には、図６に示すように、帯体２３Ｂの中間部２３ｃを、帯体２３Ｂの幅方向に挿入隙間Ｓを通過させ空間Ａ内に進入させる。これにより、連結体２２ｃと、本体筒２２ａと、のシリンダ径方向の間に設けられた空間Ａ内に帯体２３Ｂが配置される。
【００７６】
以上説明したように、本実施形態における吐出容器用補助具２０Ｂでは、連結体２２ｃが一方の突板２２ｂにのみ連結され、連結体２２ｃと、他方の突板２２ｂとの間に周方向の挿入隙間Ｓが設けられているので、挿入隙間Ｓを通して、帯体２３Ｂの中間部２３ｃを空間Ａ内に配置することができる。これにより、帯体２３Ｂの一端部２３ａ側の形状や大きさを、空間Ａの形状や大きさを考慮して設計する必要が無く、例えば帯体２３Ｂの一端部２３ａ側を大きく形成した場合には、吐出容器１のうち、一端部２３ａ側が連結される部分として、例えば、ノズル部８、装着キャップ２、又は容器本体１１等の任意の部分を選択することができる。
【００７７】
（第３実施形態）                                                              
次に、図７及び図８を参照し、本発明の第３実施形態に係る吐出容器用補助具２０Ｃについて説明する。なお、本実施形態においては、第２実施形態における構成要素と同一の部分については同一の符号を付し、その説明を省略し、異なる点についてのみ説明する。また、作用及び取付け手順についても、同一の部分については説明を省略する。
【００７８】
本実施形態に係る吐出容器用補助具２０Ｃでは、図７に示すように、内カバー２２Ｃが、一対の突板２２ｂのうちの一方から他方に向けて延びる連結体を有していない。すなわち、帯体２３Ｂを内カバー２２Ｃに取付けた際には、一対の突板２２ｂにより帯体２３Ｂを幅方向にのみ規制する。
吐出容器用補助具２０Ｃを吐出容器１に取付ける際には、図８に示すように、内カバー２２Ｃの上方から、内カバー２２Ｃの頂壁部上に帯体２３Ｂを載せることで、一対の突板２２ｂの間に帯体２３Ｂを配置する。この際、帯体２３Ｂを、シリンダ軸Ｏをシリンダ径方向に挟んで各別に設けられた一対の突板２２ｂの間にそれぞれ配置し、内カバー２２Ｃの頂壁部上を跨がせる。
【００７９】
以上説明したように、本実施形態における吐出容器用補助具２０Ｃでは、内カバー２２Ｃが連結体を備えていないので、内カバー２２Ｃの形状を簡易なものとすることができ、例えば内カバー２２Ｃを合成樹脂材料による射出成形により形成する場合には、金型の構造を簡易なものとすることができ、製造コストを抑えることができる。
【００８０】
（第４実施形態）                                                              
次に、図９を参照し、本発明の第４実施形態に係る吐出容器用補助具２０Ｄについて説明する。なお、本実施形態においては、第２実施形態における構成要素と同一の部分については同一の符号を付し、その説明を省略し、異なる点についてのみ説明する。また、作用及び取付け手順についても、同一の部分については説明を省略する。
【００８１】
本実施形態に係る吐出容器用補助具２０Ｄでは、帯体２３Ｄが、外カバー２１と別体に形成されている。
帯体２３Ｄの一端部２３ａ側に形成された固定部２５Ｃは、帯体２３Ｄの平面視で円形状をなし、帯体２３Ｄにおける固定孔２４Ｃの開口周縁部に沿って、帯体２３Ｄの厚み方向に突出した円筒状に形成されている。
【００８２】
帯体２３Ｄの他端部２３ｂ側には、帯体２３Ｄを厚み方向に貫通するセット孔２６が形成されている。セット孔２６は、帯体２３Ｄの幅方向に一対形成されるとともに、長手方向に間隔をあけて複数形成されている。図示の例では、一対のセット孔２６は、長手方向に間隔をあけて２つ形成されている。なお、セット孔２６の個数については、この態様に限られず、任意に変更可能である。
帯体２３Ｄの他端部２３ｂには、帯体２３Ｄの幅方向に延びるとともに、長手方向に沿って連続して凹凸状をなす、すべり止め部２３ｄが形成されている。
【００８３】
外カバー２１の２つの膨出部２１ｂのうちの１つの下端部には、下方に向けて開口されるとともに、径方向に開口する側方開口部２１ｅが形成されている。側方開口部２１ｅの周縁部に、径方向の外側に向けて突出し、かつ径方向の外側から見て下方に向けて開口するＣ字状を呈するガイド突部２１ｆが形成されている。
側方開口部２１ｅの内面には、下方に向けて突出し、かつ帯体２３Ｄのセット孔２６に着脱可能に形成された係止突部２１ｇが形成されている。係止突部２１ｇは、周方向に間隔をあけて２つ形成されている。
【００８４】
長手方向に間隔をあけて配置された２組のセット孔２６のうち、係止突部２１ｇに嵌合させる一対のセット孔２６を変更することで、帯体２３Ｄのうち、吐出容器１に連結された一端部２３ａ側と、外カバー２１に連結された他端部２３ｂ側と、の長手方向の距離が変えられる。これにより、押下ヘッド５１及びピストン部４の、シリンダ部３に対する上方に向けた復元移動量が変えられることで、内容物の吐出量を変更可能となっている。
【００８５】
すなわち、係止突部２１ｇに嵌合させる一対のセット孔２６を選択することで、帯体２３Ｄにおける一端部２３ａ側から係止突部２１ｇまでの距離が変えられ、この距離に応じて、外カバー２１の一度の押し下げ操作による吐出容器１の吐出量を調整することができる。
また、長手方向に間隔をあけて配置された２組のセット孔２６のうち、他端部２３ｂ側に位置する一対のセット孔２６に係止突部２１ｇを嵌合したときに、一端部２３ａ側に位置する一対のセット孔２６に係止突部２１ｇを嵌合したときよりも、大量の内容物を吐出することができる。
なお例えば、他端部２３ｂ側に位置する一対のセット孔２６に係止突部２１ｇを嵌合したときに約３０ｍＬの内容物を吐出し、また、一端部２３ａ側に位置する一対のセット孔２６に係止突部２１ｇを嵌合したときに約１５ｍＬの内容物を吐出するようにしてもよい。
【００８６】
吐出容器用補助具２０Ｄを吐出容器１に取付ける際には、前述した第２実施形態における帯体２３Ｂと同様に、帯体２３Ｂの中間部２３ｃを、帯体２３Ｂの幅方向に挿入隙間Ｓを通過させ空間Ａ内に進入させる。そして、吐出容器１から所期する吐出量に応じて、長手方向に沿って複数形成されたセット孔２６のうち、係止突部２１ｇに嵌合させるセット孔２６を選択して、すべり止め部２３ｄを操作して、このセット孔２６内に係止突部２１ｇを嵌合させる。
【００８７】
以上説明したように、本実施形態における吐出容器用補助具２０Ｄでは、帯体２３Ｄに、帯体２３Ｄを厚み方向に貫通するセット孔２６が長手方向に間隔をあけて複数形成され、外カバー２１に、セット孔２６に着脱可能に形成された係止突部２１ｇが形成されている。このため、帯体２３Ｄにおけるセット孔２６の位置を選択することで、押下ヘッド５１及びピストン部４のシリンダ部３に対する上方に向けた復元移動量を変えることができ、液室３２内の内容積を変更可能となり、吐出容器１からの内容物の吐出量を調整することができる。
また、吐出器用補助具２０Ｄでは、帯体２３Ｄが外カバー２１と別体に形成されているので、帯体２３Ｄを、外カバー２１のうち、係止突部２１ｇ以外の部分に係合させることができる。
なお、吐出容器用補助具２０Ｄの内カバー２２Ｂに代えて、連結板が一対の突板２２ｂに連結された内カバー２２や、連結体を備えていない内カバー２２Ｃを採用してもよい。
【００８８】
本発明は上記した実施の形態に限定されるものではなく、その趣旨を逸脱しない範囲で適宜変更可能である。
【００８９】
例えば、上記実施形態においては、吐出容器用補助具２０Ａ、２０Ｂ、２０Ｃ、２０Ｄの内カバー２２、２２Ｂが、一対の突板２２ｂを有する構成を示したが、この態様に限られない。内カバーは、突板を、シリンダ軸Ｏをシリンダ径方向に挟んで１つずつ有していてもよいし、突板を有していなくてもよい。
【００９０】
また、上記実施形態においては、吐出容器１として、ノズル部８がシリンダ部３の下端部に連結された構成を示したが、この態様に限られない。例えば、シリンダ部内から上方付勢状態で下方移動可能に立設されたステムを有し、このステムの上端部に、ノズル部が装着されたポンプであってもよい。
【００９１】
また、上記実施形態においては、吐出容器用補助具２０Ａ、２０Ｂ、２０Ｃ、２０Ｄが、帯体２３、２３Ｂ、２３Ｄを１つ備える構成を示したが、このような態様に限られない。吐出器用補助具は、帯体を複数備えてもよい。このような場合には、例えば帯体を２つ備え、それぞれの帯体における、吐出容器に連結される一端部と、外カバーに連結される他端部と、をシリンダ軸Ｏを挟んで互いに逆側に位置するように配置してもよい。
また、このような複数の帯体を、一体に形成してもよい。
【００９２】
また、上記実施形態においては、帯体２３、２３Ｂ、２３Ｄの固定孔２４、２４Ｂ、２４Ｃが、ノズル部８に取付けられる構成を示したが、このような態様に限られない。帯体は、吐出容器のうち、例えば装着キャップや容器本体等に取付けられることで、帯体の一端部側が吐出容器に連結されてもよい。
【００９３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００９４】
１  吐出容器
３  シリンダ部
４  ピストン部
８  ノズル部
８ａ  吐出口
１１  容器本体
２０Ａ、２０Ｂ、２０Ｃ、２０Ｄ  吐出容器用補助具
２１  外カバー
２２、２２Ｂ  内カバー
２２ａ  本体筒
２２ｂ  突板
２２ｃ  連結体
２３、２３Ｂ、２３Ｄ  帯体
２３ａ  一端部
２３ｂ  他端部
２３ｃ  中間部
Ａ  空間
Ｓ  挿入隙間
【図１】
2018070237.tif 000003
【図２】
2018070237.tif 000004
【図３】
2018070237.tif 000005
【図４】
2018070237.tif 000006
【図５】
2018070237.tif 000007
【図６】
2018070237.tif 000008
【図７】
2018070237.tif 000009
【図８】
2018070237.tif 000010
【図９】
2018070237.tif 000011